(57)【要約】【課題】機能の遮断を極力抑えつつも、効率的な省電力化を図ることである。【解決手段】近距離無線通信手段（近距離無線通信部１８）を備え、他の通信装置Ａ，Ｂ，Ｃと通信を行う通信装置１である。通信装置１は、当該通信装置１の所定の機能を司る機能部（通信部１７、位置検出部１９、無線ＬＡＮ部２０）に対する動作制御を行う機能部制御手段（機能部電源制御部１１１）と、通信装置Ａ，Ｂ，Ｃが保持する所定の機能に関する情報を、近距離無線通信手段による通信によって取得する情報取得手段（制御部１１）と、を備える。機能部制御手段は、情報取得手段によって取得した前記情報に基づいて、機能部に対する動作制御を行う。【選択図】図２
2015185851.tif 000002
【特許請求の範囲】
【請求項１】
近距離無線通信手段を備え、他の通信装置と通信を行う通信装置であって、
当該通信装置の所定の機能を司る機能部に対する動作制御を行う機能部制御手段と、
前記通信装置が保持する前記所定の機能に関する情報を、前記近距離無線通信手段による通信によって取得する情報取得手段と、を備え、
前記機能部制御手段は、前記情報取得手段によって取得した前記情報に基づいて、前記機能部に対する動作制御を行うことを特徴とする通信装置。
【請求項２】
請求項１記載の通信装置において、
前記機能部制御手段は、前記機能部に対する電源制御を行うことを特徴とする通信装置。
【請求項３】
請求項２記載の通信装置において、
前記近距離無線通信手段の消費電力は、前記機能部の消費電力よりも低いことを特徴とする通信装置。
【請求項４】
請求項２又は３記載の通信装置において、
前記機能部は、携帯通信機能部であり、
前記情報取得手段は、前記通信装置の携帯通信受信状況に関する情報を取得することを特徴とする通信装置。
【請求項５】
請求項４記載の通信装置において、
前記機能部制御手段は、前記情報取得手段によって取得した前記携帯通信受信状況に関する情報が圏外の場合、前記機能部に対する電源供給を行わないことを特徴とする通信装置。
【請求項６】
請求項２又は３記載の通信装置において、
前記機能部は、ＧＰＳ受信機能部であり、
前記情報取得手段は、前記通信装置の電波受信時刻に関する情報を取得することを特徴とする通信装置。
【請求項７】
請求項６記載の通信装置において、
前記機能部制御手段は、前記情報取得手段によって取得した前記電波受信時刻に関する情報が所定の時間内ではない場合、前記機能部に対する電源供給を行わないことを特徴とする通信装置。
【請求項８】
請求項２又は３記載の通信装置において、
前記機能部は、無線ＬＡＮ通信機能部であり、
前記情報取得手段は、前記通信装置の無線ＬＡＮ通信状況に関する情報を取得することを特徴とする通信装置。
【請求項９】
請求項８記載の通信装置において、
前記機能部制御手段は、前記情報取得手段によって取得した前記無線ＬＡＮ通信状況に関する情報が通信不可の場合、前記機能部に対する電源供給を行わないことを特徴とする通信装置。
【請求項１０】
近距離無線通信手段を備えるとともに他の通信装置と通信を行う通信装置の所定の機能を司る機能部に対する動作制御方法であって、
前記機能部に対する動作制御を行う機能部制御ステップと、
前記通信装置が保持する前記所定の機能に関する情報を、前記近距離無線通信手段による通信によって取得する情報取得ステップと、を含み、
前記機能部制御ステップでは、前記情報取得ステップで取得した前記情報に基づいて、前記機能部に対する動作制御を行うことを特徴とする動作制御方法。
【請求項１１】
近距離無線通信手段を備え、他の通信装置と通信を行う通信装置のコンピュータを、
当該通信装置の所定の機能を司る機能部に対する動作制御を行う機能部制御手段と、
前記通信装置が保持する前記所定の機能に関する情報を、前記近距離無線通信手段による通信によって取得する情報取得手段として機能させ、
前記機能部制御手段は、前記情報取得手段によって取得した前記情報に基づいて、前記機能部に対する動作制御を行うことを特徴とするプログラム。
【発明の詳細な説明】
【技術分野】
【０００１】
本発明は、通信装置、動作制御方法及びプログラムに関する。
【背景技術】
【０００２】
例えば携帯電話やスマートフォンなどの通信装置においては、バッテリの使用を最適化する機能を備えたものが知られている（例えば特許文献１参照）。具体的には、消費電力の異なる複数の位置センサを搭載していて、バッテリ電力を節約する際においては、精度が低く、消費電力の少ない位置センサを使用することで、省電力化を図っている。
【先行技術文献】
【特許文献】
【０００３】
【特許文献１】特開２０１２−１２７７２２号公報
【発明の概要】
【発明が解決しようとする課題】
【０００４】
ここで、上述した通信装置においてはより一層の省電力化が求められており、例えば搭載されている機能を状況に応じて手動で遮断することで省電力化を図ることも考えられるが、ユーザにとっては不便を強いることになり好ましくない。
このため、本発明の課題は、機能の遮断を極力抑えつつも、効率的な省電力化を図ることである。
【課題を解決するための手段】
【０００５】
請求項１記載の発明では、
近距離無線通信手段を備え、他の通信装置と通信を行う通信装置であって、
当該通信装置の所定の機能を司る機能部に対する動作制御を行う機能部制御手段と、
前記通信装置が保持する前記所定の機能に関する情報を、前記近距離無線通信手段による通信によって取得する情報取得手段と、を備え、
前記機能部制御手段は、前記情報取得手段によって取得した前記情報に基づいて、前記機能部に対する動作制御を行うことを特徴とする通信装置が提供される。
【発明の効果】
【０００６】
本発明によれば、機能の遮断を極力抑えながらも効率的に省電力化を図ることができる。
【図面の簡単な説明】
【０００７】
【図１】本実施形態に係る通信装置と、この通信装置と近距離無線通信による通信が自在な複数の通信装置を示す説明図である。
【図２】本実施形態に係る通信装置の構成を機能ごとに表す機能ブロック図である。
【図３】本実施形態に係る通信装置が３つの通信装置に対して接続を確立せずに通信データをやりとりする場合のタイムチャートを示している。
【図４】本実施形態に係るＢＬＥ（Bluetooth（登録商標） Low Energy）における通信データのフォーマットを示している。
【図５】本実施形態に係る電源制御処理の流れを示すフローチャートである。
【発明を実施するための形態】
【０００８】
以下、添付図面を参照して、本発明に係る通信装置をスマートフォンに適用した場合の実施形態の一例を詳細に説明する。ただし、発明の範囲は、図示例に限定されない。
【０００９】
図１は、本実施形態に係る通信装置１と、この通信装置１と近距離無線通信による通信が自在な通信装置Ａ，Ｂ，Ｃを示している。
通信装置１及び通信装置Ａ，Ｂ，Ｃは、近距離型の無線通信機能を備えたスマートフォンであり、通信装置１及び通信装置Ａ，Ｂ，Ｃで相互に通信データをやりとりすることができる。通信装置１及び通信装置Ａ，Ｂ，Ｃは、同様の無線通信機能を備えた携帯型の端末であれば、タブレット端末、フィーチャーフォン、ゲーム機等であってもよい。
各通信装置１及び通信装置Ａ，Ｂ，Ｃが無線通信によって互いに通信データをやりとりする基本的な構成部分は同じであるので、以下、通信装置１の構成を一例として説明する。
【００１０】
図２は、通信装置１の構成を機能ごとに表す機能ブロック図である。
通信装置１は、図２に示すように、制御部１１、記憶部１２、操作部１３、表示部１４、計時部１５、マイク１６１、スピーカ１６２、通話処理部１６、通信部１７、近距離無線通信部１８、位置検出部１９、無線ＬＡＮ部２０等を備えて構成されている。通信装置１の各部は、バス３０によって接続されている。
【００１１】
制御部１１は、ＣＰＵ（Central Processing Unit）、ＲＡＭ（Random Access Memory）等を備えて構成されている。制御部１１は、記憶部１２に記憶されたプログラムを読み出して、当該プログラムを実行することにより、通信装置１の各部の動作を制御する。
例えば、制御部１１は、操作部１３を介して通話が指示されると、通話処理用のプログラムを実行し、通話処理部１６及び通信部１７により、通話先の通信装置と通話音声をやりとりさせる。
また、制御部１１は、通信装置１の所定の機能を司る各機能部（通信部１７、位置検出部１９、無線ＬＡＮ部２０）に対する電源制御を行う機能部電源制御部１１１（機能部制御手段）を備えている。制御部１１は、通信装置１の主電源がＯＮとなると、電源制御処理用のプログラムを実行し、機能部電源制御部１１１を制御することで各機能部の電源制御を行うようになっている。
【００１２】
記憶部１２は、制御部１１が読み取り可能なプログラム、プログラムの実行に必要なデータ等を記憶している。
記憶部１２としては、例えばハードディスク、ＲＯＭ（Read Only Memory）、ＥＥＰＲＯＭ（Electrically Erasable Programmable ROM）、フラッシュメモリ等の記憶媒体を用いることができる。
【００１３】
操作部１３は、操作キー、タッチパネル等を備えて、ユーザによるこれらの操作に応じた操作信号を生成し、制御部１１に出力する。
【００１４】
表示部１４は、ＬＣＤ（Liquid Crystal Display）、有機ＥＬ（Electro luminescence）ディスプレイ等を備え、制御部１１による表示制御にしたがって、操作画面、通知画面等の表示画面を表示する。
【００１５】
計時部１５は、発振器から出力されるクロック信号を元に計時し、現在日時を出力する。
【００１６】
マイク１６１は、通話音声を入力する。
通話処理部１６は、マイク１６１により入力された送話音声をＡ／Ｄ変換し、符号化して通話音声のベースバンド信号を生成し、通信部１７に出力する。また、通話処理部１６は、通信部１７から入力された通話音声のベースバンド信号を復号し、Ｄ／Ａ変換してスピーカ１６２に出力する。
スピーカ１６２は、通話音声を出力する。
【００１７】
通信部１７（携帯通信機能部）は、ＲＦ（Radio Frequency）通信用のアンテナ１７１を備え、当該アンテナ１７１により基地局との間で通話音声、メール等の送信及び受信を行う。
具体的には、通信部１７は、アンテナ１７１を介して受信した電波を復調処理し、得られた通話音声のベースバンド信号、メールのパケット等を通話処理部１６及び制御部１１にそれぞれ出力する。また、通信部１７は、制御部１１から入力されたメールのパケット又は通話処理部１６から入力されたベースバンド信号を変調処理して得られた電波を、アンテナ１７１を介して基地局に送信する。
また、通信部１７は、当該通信部１７に対する電源供給を制御するための通信部電源回路１７２を備えており、この通信部電源回路１７２は機能部電源制御部１１１によって制御されるようになっている。
【００１８】
位置検出部１９（ＧＰＳ受信機能部）は、ＧＰＳ（Global Positioning System）用のアンテナ１９１を備え、当該アンテナ１９１により複数のＧＰＳ衛星から電波を受信し、当該電波とその電波の受信時刻に基づいて複数のＧＰＳ衛星との距離を演算することにより、通信装置１の現在位置を検出する。
また、位置検出部１９は、当該位置検出部１９に対する電源供給を制御するための位置検出部電源回路１９２を備えており、この位置検出部電源回路１９２は機能部電源制御部１１１によって制御されるようになっている。
【００１９】
無線ＬＡＮ部２０（無線ＬＡＮ通信機能部）は、無線ＬＡＮ（Local Area Network）用のアンテナ２０１を備え、当該アンテナ２０１を介して無線ＬＡＮのアクセスポイントとの間で通信を行う。
また、無線ＬＡＮ部２０は、当該無線ＬＡＮ部２０に対する電源供給を制御するための無線ＬＡＮ部電源回路２０２を備えており、この無線ＬＡＮ部電源回路２０２は機能部電源制御部１１１によって制御されるようになっている。
【００２０】
近距離無線通信部１８（近距離無線通信手段）は、Bluetooth用のアンテナ１８１及びBluetoothモジュールを備えている。近距離無線通信部１８は、Bluetoothモジュールにより、アンテナ１８１を介して他の通信装置Ａ，Ｂ，Ｃとの間で通信データの送信及び受信を行う。
なお、近距離型の無線通信を行うことができるのであれば、近距離無線通信部１８の通信規格はBluetoothに限定されず、他の通信規格、例えばZigbee（登録商標）等であってもよい。
【００２１】
Bluetoothモジュールは、通信データの送信及び受信に、ＢＬＥ（Bluetooth Low Energy）の通信プロトコルを用いる。このため、近距離無線通信部１８の消費電力は、各機能部（通信部１７、位置検出部１９、無線ＬＡＮ部２０）のそれぞれの消費電力よりも低くなる。
ＢＬＥの通信プロトコルは、他の通信装置Ａ，Ｂ，Ｃに対して通信データの送信のみを行う送信モードと、他の通信装置Ａ，Ｂ，Ｃから送信される通信データの受信のみを行う受信モードを、一定間隔ごとに繰り返す。送信モードはAdvertiseと呼ばれ、受信モードはScanと呼ばれている。
近距離無線通信部１８は、この送信モードと受信モードを繰り返すＢＬＥの通信プロトコルにしたがって、送信モード時に他の通信装置Ａ，Ｂ，Ｃに通信データを送信し、受信モード時に他の通信装置Ａ，Ｂ，Ｃから送信された通信データを受信する。
【００２２】
ＢＬＥによれば、接続を確立することなく、通信データをやりとりすることができる。
図３は、通信装置１が３つの通信装置Ａ，Ｂ，Ｃに対して接続を確立せずに通信データをやりとりする場合のタイムチャートを示している。
図３に示すように、通信装置１と各通信装置Ａ，Ｂ，Ｃとは、Advertiseで表される送信モードとScanで表される受信モードとを繰り返し、Centralとしてのrole（役割）とPeripheralとしてのroleとを交互に切り替えている。
【００２３】
近距離無線通信部１８は、図３に示すように、送信モードと受信モードのそれぞれをあらかじめ設定された時間で切り替える。具体的には、近距離無線通信部１８はカウンタを備え、当該カウンタにより時間をカウントして、切り替える時間に到達すると送信モードから受信モードへ又はその逆に切り替える。
送信モード及び受信モードの時間は、通信装置１及び通信装置Ａ，Ｂ，Ｃごとに設定することが可能である。そのため、一方の通信装置又は通信装置が送信モードであり、他方の通信装置又は通信装置が受信モードである場合に、通信データをやりとりすることができる。例えば、通信装置Ａから送信された通信データを通信装置１が受信できるのは、通信装置Ａの送信モードと、通信装置１の受信モードが重複している間である。
【００２４】
図４は、ＢＬＥにおける通信データのフォーマットを示している。
図４に示すように、通信データは、Header３１とPayload３２とからなるパケットデータである。実データであるPayload３２は、address３３を先頭に、Ｎ個のAD Structure N３４から構成されている。address３３は、各AD Structure N３４のアドレスを示す。
各AD Structure N３４は、Length３５、AD Type３６及びAD Data３７により構成されている。Length３５は、AD Structure N３４のデータ長を定義する。AD Type３６には、AD Data３７に格納されるデータの種類を示すフラグが格納される。AD Type３６に０ｘＦＦのフラグを格納すると、AD Data３７として特定データを格納することが可能となる。
【００２５】
特定データは、ＢＬＥに制限されずに他の通信装置Ａ，Ｂ，Ｃに配信できる任意のデータをいう。特定データとしてAD Data３７に格納できるデータの例としては、通信部１７での携帯通信受信状況に関する情報や、位置検出部１９での電波受信時刻に関する情報、無線ＬＡＮ通信部１７の無線ＬＡＮ通信状況に関する情報などが挙げられる。
【００２６】
例えば、図１に示す通信装置Ａのように３ＧやＬＴＥなどの携帯通信エリアの圏外にある場合、通信装置Ａでは、携帯通信受信状況に関する情報である「圏外」が特定データとして書き込まれて通信される。
また、図１に示す通信装置ＢのようにＧＰＳ衛星からの電波を受信していない場合、通信装置Ｂでは、電波受信時刻に関する情報である「直近の電波受信時刻」が特定データとして書き込まれて通信される。
また、図１に示す通信装置Ｃのように無線ＬＡＮの基地局と接続できていない場合、通信装置Ｃでは、無線ＬＡＮ通信状況に関する情報である「通信不可」が特定データとして書き込まれて通信される。
そして、通信装置１では、これらの特定データが近距離無線通信部１８を介して制御部１１で取得され、制御部１１はこの特定データに応じて各機能部（通信部１７、位置検出部１９、無線ＬＡＮ部２０）の動作制御を実行する。つまり、制御部１１が本発明に係る情報取得手段である
【００２７】
以下、図５を参照して、通信装置１における電源制御処理について説明する。
通信装置１の主電源がＯＮとなると、制御部１１は、記憶部１２から電源制御処理用のプログラムを実行する。これにより本発明に係る動作制御方法が実行される。
ステップＳ１では、制御部１１は、近距離無線通信部１８を制御して、近距離無線通信動作を開始する。
ステップＳ２では、制御部１１の制御により近距離無線通信部１８が受信モードを開始し、通信装置Ａ，Ｂ，Ｃから送信される通信データを待機する。所定の時間経過すると、近距離無線通信部１８は受信モードを終了する。
ステップＳ３では、制御部１１の制御により近距離無線通信部１８が送信モードを開始し、通信装置Ａ，Ｂ，Ｃに対して通信データを送信する。所定の時間経過すると、近距離無線通信部１８は送信モードを終了する。
【００２８】
ステップＳ４では、機能部電源制御部１１１は、受信モードで受信した通信データの中に携帯通信受信状況に関する情報が含まれているか否かを判断し、含まれている場合（ステップＳ４；ＹＥＳ）にはステップＳ５に移行し、含まれていない場合（ステップＳ４；ＮＯ）にはステップＳ８に移行する。
【００２９】
ステップＳ５では、機能部電源制御部１１１は、受信した携帯通信状況に関する情報が「圏外」であったか否かを判断し、「圏外」であった場合（ステップＳ５；ＹＥＳ）にはステップＳ６に移行し、「圏外」でなかった場合（ステップＳ５；ＮＯ）にはステップＳ７に移行する。
ステップＳ６では、機能部電源制御部１１１は、通信部電源回路１７２を制御して通信部１７に対する電源供給をＯＦＦとし、ステップＳ２に移行する。
ステップＳ７では、機能部電源制御部１１１は、通信部電源回路１７２を制御して通信部１７に対する電源供給をＯＮとし、ステップＳ２に移行する。
これにより、通信装置１の周辺にある通信装置Ａの携帯通信受信状況に関する情報に基づいて、通信部１７に対する電源制御が行われることになる。
なお、ステップＳ６で通信部１７に対する電源供給をＯＦＦに、ステップＳ７で通信部１７に対する電源供給をＯＮに制御したが、すでに通信部１７に対する電源供給の状態が当該状態になっている場合は、ステップＳ６、ステップＳ７をスキップできる。
【００３０】
ステップＳ８では、機能部電源制御部１１１は、受信モードで受信した通信データの中に電波受信時刻に関する情報が含まれているか否かを判断し、含まれている場合（ステップＳ８；ＹＥＳ）にはステップＳ９に移行し、含まれていない場合（ステップＳ８；ＮＯ）にはステップＳ１２に移行する。
【００３１】
ステップＳ９では、機能部電源制御部１１１は、受信した電波受信時刻に関する情報である「直近の電波受信時刻」が現時点から所定時間内であったか否かを判断し、所定時間内でなかった場合（ステップＳ９；ＮＯ）にはステップＳ１０に移行し、所定時間内であった場合（ステップＳ９；ＹＥＳ）にはステップＳ１１に移行する。ここで所定時間とは、通信装置１の周辺にある通信装置ＢがＧＰＳ衛星の電波を受信できていないと判断することの時間である。
ステップＳ１０では、機能部電源制御部１１１は、位置検出部電源回路１９２を制御して位置検出部１９に対する電源供給をＯＦＦとし、ステップＳ２に移行する。
ステップＳ１１では、機能部電源制御部１１１は、位置検出部電源回路１９２を制御して位置検出部１９に対する電源供給をＯＮとし、ステップＳ２に移行する。
これにより、通信装置１の周辺にある通信装置Ｂの電波受信時刻に関する情報に基づいて、位置検出部１９に対する電源制御が行われることになる。
なお、ステップＳ１０で位置検出部１９に対する電源供給をＯＦＦに、ステップＳ１１で位置検出部１９に対する電源供給をＯＮに制御したが、すでに位置検出部１９に対する電源供給の状態が当該状態になっている場合は、ステップＳ１０、ステップＳ１１をスキップできる。
【００３２】
ステップＳ１２では、機能部電源制御部１１１は、受信モードで受信した通信データの中に無線ＬＡＮ通信状況に関する情報が含まれているか否かを判断し、含まれている場合（ステップＳ１２；ＹＥＳ）にはステップＳ１３に移行し、含まれていない場合（ステップＳ１２；ＮＯ）にはステップＳ２に移行する。
【００３３】
ステップＳ１３では、機能部電源制御部１１１は、受信した無線ＬＡＮ通信状況に関する情報が「通信不可」であったか否かを判断し、「通信不可」であった場合は（ステップＳ１３；ＮＯ）にはステップＳ１４に移行し、「通信不可」でなかった場合は基地局と通信中と判断して（ステップＳ１３；ＹＥＳ）にはステップＳ１５に移行する。
ステップＳ１４では、機能部電源制御部１１１は、無線ＬＡＮ部電源回路２０２を制御して無線ＬＡＮ部２０に対する電源供給をＯＦＦとし、ステップＳ２に移行する。
ステップＳ１５では、機能部電源制御部１１１は、無線ＬＡＮ部電源回路２０２を制御して無線ＬＡＮ部２０に対する電源供給をＯＮとし、ステップＳ２に移行する。
これにより、通信装置１の周辺にある通信装置Ｃの無線ＬＡＮ通信状況に関する情報に基づいて、無線ＬＡＮ部２０に対する電源制御が行われることになる。
なお、ステップＳ１４で無線ＬＡＮ部２０に対する電源供給をＯＦＦに、ステップＳ１５で無線ＬＡＮ部２０に対する電源供給をＯＮに制御したが、すでに無線ＬＡＮ部２０に対する電源供給の状態が当該状態になっている場合は、ステップＳ１４、ステップＳ１５をスキップできる。
【００３４】
以上のように、本実施形態によれば、周囲にある他の通信装置Ａ，Ｂ，Ｃから取得した所定の機能に関する情報に基づいて、各機能部（通信部１７、位置検出部１９、無線ＬＡＮ部２０）に対する動作制御が行われているので、ユーザが各機能部の動作を逐一手動でＯＮ／ＯＦＦせずとも、他の通信装置Ａ，Ｂ，Ｃから取得した情報に基づき周囲環境に適するように各機能部を動作制御することができる。したがって、機能の遮断が極力抑えられるとともに、効率的な省電力化も図ることができる。
なお、本実施形態では、動作制御の一種として各機能部の電源供給をＯＦＦとする場合を例示しているが、完全に電源供給をＯＦＦとしなくても機能部の出力を弱めるようにすることでも省電力化が可能である。
【００３５】
また、機能部電源制御部１１１が各機能部に対する電源制御を行っているので、直接的な制御で省電力化を図ることができ、電源制御を効率的に行うことができる。
【００３６】
近距離無線通信部１８の消費電力が各機能部のそれぞれの消費電力よりも低いので、周囲の通信装置Ａ，Ｂ，Ｃから各情報を取得する際の消費電力も抑制することができる。
【００３７】
また、制御部１１が通信装置Ａの携帯通信受信状況に関する情報を取得するので、周囲の通信装置Ａから取得した前記情報によって通信装置１の通信部１７を動作制御することができる。したがって、通信装置１が「圏外」にあるかどうかを自機で判断しなくともよく、それだけ通信部１７の消費電力を抑制することができる。
【００３８】
そして、周囲の通信装置Ａから取得した携帯通信受信状況に関する情報が圏外の場合、通信部１７に対する電源供給が行われないので、圏外で通信ができない間は通信部１７を無駄に動作させることがなくなり、一層の省電力化を図ることができる。
【００３９】
また、制御部１１が通信装置Ｂの電波受信時刻に関する情報を取得するので、周囲の通信装置Ｂから取得した前記情報によって通信装置１の位置検出部１９を動作制御することができる。したがって、通信装置１がＧＰＳ衛星からの電波を受信できているかどうかをどうかを自機で判断しなくともよく、それだけ位置検出部１９の消費電力を抑制することができる。
【００４０】
そして、周囲の通信装置Ｂから取得した電波受信時刻に関する情報に基づいて、当該通信装置がＧＰＳ衛星の電波を受信できていないと判断した場合、位置検出部１９に対する電源供給が行われないので、前記電波の受信ができない間は位置検出部１９を無駄に動作させることがなくなり、一層の省電力化を図ることができる。
【００４１】
また、制御部１１が通信装置Ｃの無線ＬＡＮ通信状況に関する情報を取得するので、周囲の通信装置Ｃから取得した前記情報によって通信装置１の無線ＬＡＮ部２０を動作制御することができる。したがって、通信装置１が「通信不可」にあるかどうかを自機で判断しなくともよく、それだけ無線ＬＡＮ部２０の消費電力を抑制することができる。
【００４２】
そして、周囲の通信装置Ｃから取得した無線ＬＡＮ通信状況に関する情報が「通信不可」の場合、無線ＬＡＮ部２０に対する電源供給が行われないので、通信不可である間は無線ＬＡＮ部２０を無駄に動作させることがなくなり、一層の省電力化を図ることができる。
【００４３】
なお、本発明を適用可能な実施形態は、上述した実施形態に限定されることなく、本発明の趣旨を逸脱しない範囲で適宜変更可能である。
【００４４】
例えば、本実施形態では、各機能部（通信部１７、位置検出部１９、無線ＬＡＮ部２０）の電源回路１７２，１９２，２０２を制御し電源供給をＯＦＦとすることで消費電力を抑制する場合を例示しているが、制御部１１から各機能部に対する動作クロックを遮断し、各機能部の動作を禁じることで消費電力を低減させてもよい。
【００４５】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４６】
〔付記〕
＜請求項１＞
近距離無線通信手段を備え、他の通信装置と通信を行う通信装置であって、
当該通信装置の所定の機能を司る機能部に対する動作制御を行う機能部制御手段と、
前記通信装置が保持する前記所定の機能に関する情報を、前記近距離無線通信手段による通信によって取得する情報取得手段と、を備え、
前記機能部制御手段は、前記情報取得手段によって取得した前記情報に基づいて、前記機能部に対する動作制御を行うことを特徴とする通信装置。
＜請求項２＞
請求項１記載の通信装置において、
前記機能部制御手段は、前記機能部に対する電源制御を行うことを特徴とする通信装置。
＜請求項３＞
請求項２記載の通信装置において、
前記近距離無線通信手段の消費電力は、前記機能部の消費電力よりも低いことを特徴とする通信装置。
＜請求項４＞
請求項２又は３記載の通信装置において、
前記機能部は、携帯通信機能部であり、
前記情報取得手段は、前記通信装置の携帯通信受信状況に関する情報を取得することを特徴とする通信装置。
＜請求項５＞
請求項４記載の通信装置において、
前記機能部制御手段は、前記情報取得手段によって取得した前記携帯通信受信状況に関する情報が圏外の場合、前記機能部に対する電源供給を行わないことを特徴とする通信装置。
＜請求項６＞
請求項２又は３記載の通信装置において、
前記機能部は、ＧＰＳ受信機能部であり、
前記情報取得手段は、前記通信装置の電波受信時刻に関する情報を取得することを特徴とする通信装置。
＜請求項７＞
請求項６記載の通信装置において、
前記機能部制御手段は、前記情報取得手段によって取得した前記電波受信時刻に関する情報が所定の時間内ではない場合、前記機能部に対する電源供給を行わないことを特徴とする通信装置。
＜請求項８＞
請求項２又は３記載の通信装置において、
前記機能部は、無線ＬＡＮ通信機能部であり、
前記情報取得手段は、前記通信装置の無線ＬＡＮ通信状況に関する情報を取得することを特徴とする通信装置。
＜請求項９＞
請求項８記載の通信装置において、
前記機能部制御手段は、前記情報取得手段によって取得した前記無線ＬＡＮ通信状況に関する情報が通信不可の場合、前記機能部に対する電源供給を行わないことを特徴とする通信装置。
＜請求項１０＞
近距離無線通信手段を備えるとともに他の通信装置と通信を行う通信装置の所定の機能を司る機能部に対する動作制御方法であって、
前記機能部に対する動作制御を行う機能部制御ステップと、
前記通信装置が保持する前記所定の機能に関する情報を、前記近距離無線通信手段による通信によって取得する情報取得ステップと、を含み、
前記機能部制御ステップでは、前記情報取得ステップで取得した前記情報に基づいて、前記機能部に対する動作制御を行うことを特徴とする動作制御方法。
＜請求項１１＞
近距離無線通信手段を備え、他の通信装置と通信を行う通信装置のコンピュータを、
当該通信装置の所定の機能を司る機能部に対する動作制御を行う機能部制御手段と、
前記通信装置が保持する前記所定の機能に関する情報を、前記近距離無線通信手段による通信によって取得する情報取得手段として機能させ、
前記機能部制御手段は、前記情報取得手段によって取得した前記情報に基づいて、前記機能部に対する動作制御を行うことを特徴とするプログラム。
【符号の説明】
【００４７】
１      通信装置
１１      制御部（情報取得手段）
１２      記憶部
１３      操作部
１４      表示部
１５      計時部
１６      通話処理部
１７      通信部（携帯通信機能部）
１８      近距離無線通信部（近距離無線通信手段）
１９      位置検出部（ＧＰＳ受信機能部）
２０      無線ＬＡＮ部（無線ＬＡＮ通信機能部）
３０      バス
１１１      機能部電源制御部（機能部制御手段）
１６１      マイク
１６２      スピーカ
１７１      アンテナ
１７２      通信部電源回路
１８１      アンテナ
１９１      アンテナ
１９２      位置検出部電源回路
２０１      アンテナ
２０２      無線ＬＡＮ部電源回路
Ａ，Ｂ，Ｃ    通信装置
【図１】
2015185851.tif 000003
【図２】
2015185851.tif 000004
【図３】
2015185851.tif 000005
【図４】
2015185851.tif 000006
【図５】
2015185851.tif 000007